【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
微小レンズグリッドに従って配置された多数の微小レンズ（２１）が、第１の領域（３１）に設けられた透明な第１層（１３）と、
前記第１層（１３）の下側で第１層（１３）に対して固定位置に設けられ、微小画像グリッドに従って配置され、且つ第１の光学的可変情報を生じさせるために、いずれの場合でも、微小レンズグリッドの微小レンズ（２１）のうち１つと少なくとも局所的に重なり合って配置された多数の微小画像（２２）を有する第２層（１２）とを備え、
前記微小画像グリッド及び前記微小レンズグリッドのグリッド間隔（４１，４２）は、いずれの場合でも、少なくとも１つの空間方向において、３００μｍより小さい、
多層体（１，２，３，４，５，６，７）。
【請求項２】
第１の空間方向における微小レンズグリッドの各グリッド間隔（４１）が、第１の空間方向における微小レンズ（２１）の各寸法（４３）の、少なくとも５０％、特に１００％より大きいことを特徴とする、
請求項１に記載された多層体（２）。
【請求項３】
第１の空間方向における微小画像（２２）の各寸法（４５）が、第１の空間方向において、それぞれ隣り合う微小レンズ（２１）の各寸法（４３）の、５０％より大きい、特に１００％より大きいことを特徴とする、
請求項１又は２のいずれか１項に記載された多層体（２）。
【請求項４】
前記多層体（３，４，５）が、６μｍより大きい層厚さを有する担持基板（１０）を備え、該担持基板（１０）は、第２領域（３２）においては透明形状で具体化され、又は窓型の穿孔を有し、前記第２領域（３２）は第１領域（３１）に被覆され、第１層（１３）が担持基板（１０）の正面に設けられ、第２層（１２）が担持基板（１０）の背面に設けられることを特徴とする、
請求項１から３のいずれか１項に記載された多層体（３，４，５）。
【請求項５】
前記多層体（３，４，５）は重要書類、特に紙幣であり、担持基板（１０）は重要書類の担持基板を形成し、３０μｍ〜２００μｍの層厚さを有することを特徴とする、
請求項４に記載された多層体（３，４，５）。
【請求項６】
前記多層体（５）は、第１領域（３１）に、第２層（１２）の下に設けられた第３層（１８）を有し、多層体（５）を背面から見ると、多層体を正面から見た人的観察者には見えず、第１の光学的可変情報とは異なる、第２の光学的可変情報が現れることを特徴とする、
請求項４又は５のいずれか１項に記載された多層体（５）。
【請求項７】
前記多層体（６）が、第１層（１３）と第２層との間に設けられた半透明層（２０）を有し、前記多層体（６）が、第１領域においては透明形状で具体化され、又は窓型の穿孔を備えた、担持基板（１０）を特に有することを特徴とする、
請求項１から６のいずれか１項に記載された多層体（６）。
【請求項８】
前記第２層（１２）は、第１領域（３１）に、微小画像（２２）を備えた少なくとも１つの第１ゾーン（３４）及び、第３の光学的可変情報を生じさせるための光学活性表面構造を備えた少なくとも１つの第２ゾーン（３３）を有し、前記第３の光学的可変情報は第１の光学的可変情報とは異なることを特徴とする、
請求項１から７のいずれか１項に記載された多層体（７）。
【請求項９】
第１及び第２ゾーン（３３，３４）に微小レンズ（２１）が設けられることを特徴とする、
請求項８に記載された多層体（７）。
【請求項１０】
少なくとも１つの第２ゾーンにおいて、第１層にラッカー層（３０）が設けられ、特に、印刷され、前記ラッカー層の屈折率は第１層の屈折率と０．３未満で異なることを特徴とする、
請求項８又は９のいずれか１項に記載された多層体（７）。
【請求項１１】
少なくとも１つの第２ゾーンが、３００μｍより大きな最小寸法を有し、第４の情報を生じさせるために、模様付きの形状に形成されることを特徴とする、
請求項８から１０のいずれか１項に記載された多層体。
【請求項１２】
前記第１領域が、多数の第１及び第２ゾーンに分割され、該第１及び第２ゾーンは、少なくとも１つの空間方向において３００μｍより小さいグリッド間隔を有する、規則的なグリッドに従って設けられることを特徴とする、
請求項８から１０のいずれか１項に記載された多層体。
【請求項１３】
微小画像（２２）が、いずれの場合でも、背景領域（２３）に囲まれた１又は複数のイメージ領域によって形成され、
該１又は複数のイメージ領域が不透明であり、背景領域が透明である、又はその逆であり、
一方で１又は複数のイメージ領域が、もう一方で背景領域が、異なる反射特性を有し、
１又は複数のイメージ領域及び／又は背景領域が、光学的可変要素で被覆され、特に、一方でイメージ領域が、もう一方で背景領域が、異なる光学的可変要素で被覆されることを特徴とする、
請求項１から１２のいずれか１項に記載された多層体。
【請求項１４】
第２層の色彩、反射特性及び／又は吸収特性が、イメージ領域において変化することを特徴とする、
請求項１３に記載された多層体。
【請求項１５】
微小画像グリッドが、第１領域に、少なくとも２つの互いに異なる微小画像を有し、
第２領域において、微小画像の形状及び／又は色彩が、変形関数に従って連続的に変化することを特徴とする、
請求項１から１４のいずれか１項に記載された多層体。
【手続補正２】
【補正対象書類名】明細書
【補正対象項目名】００４７
【補正方法】変更
【補正の内容】
【００４７】
更に、装飾層１２は、追加として、又は上述した層の代わりとして、視点によって色彩が変化する効果を生じさせるための薄膜層構造，液晶層又は、光学活性色素，例えばＵＶ色素，液晶色素又は干渉層色素を有する層を備えることも可能である。この層も、背景領域又はイメージ領域のどちらかに設けられ、その結果、イメージ領域と背景領域のコントラストをもたらすように構造化されることが望ましい。更に、前記微小画像は、イメージ領域の領域において、カラープロファイル又は異なる輝度値を有することもまた可能であり、対応する装飾層の対応する層は、それに応じて輝度又はカラープロファイルを認識するために構成される。
【手続補正３】
【補正対象書類名】明細書
【補正対象項目名】００５２
【補正方法】変更
【補正の内容】
【００５２】
微小レンズ２１は、上記で説明したように、１次元又は２次元のレンズグリッドに従って設けられ、該レンズグリッドのグリッド間隔は、一定であっても、あるいは局所的にさまざまであってもよい。従って図１ａは、例えば、図１ａに示す、隣り合う微小レンズの微小レンズ間隔、すなわち、それらの面重心の間隔に相当するグリッド間隔４１を示している。
【手続補正４】
【補正対象書類名】明細書
【補正対象項目名】００５４
【補正方法】変更
【補正の内容】
【００５４】
この場合の、図１ａで示された断面の切断線に沿った微小レンズグリッドのグリッド間隔は、５〜３００μｍであることが望ましく、切断線の方向の微小画像グリッドのグリッド間隔は、５〜３００μｍであることが望ましい。微小画像２２の成形、微小画像グリッド及び微小レンズグリッドのグリッド間隔の構成、並びに微小レンズグリッド及び微小画像グリッド相互の向きについては、先の説明で言及がなされている。
【手続補正５】
【補正対象書類名】明細書
【補正対象項目名】００５７
【補正方法】変更
【補正の内容】
【００５７】
更に望ましい例示的実施例を、図１ｃ及び図１ｄの図を参照して、ここで説明する。図１ｃは、層１３の平面図を表しており、図１ｂと同様、微小レンズ２１の焦点ラインは、対応する線によって識別される。ここで、微小レンズ２１もまた、１０μｍ〜３００μｍ、ここでは３５μｍのグリッド間隔４１を有する、１次元微小グリッドに従って設けられた円筒状レンズで形成される。微小レンズの焦点距離は、１０μｍ〜５００μｍである。図１ｄで示すように、微小レンズ２１の焦点ラインは、この場合、多層体１の長手方向軸線に対して４５°の角度で傾き、互いに略平行に設けられる。この場合、座標軸５１は、多層体１の長手方向を表し、座標軸５０は該多層体１の横断方向を表し、該多層体１は、望ましくはストリップ形状又はスレッド形状のセキュリティエレメントである。図１ｂで説明したように、微小画像２２は、上述の通り、微小レンズグリッドに対して傾いた状態で（特に４５°傾いて）、又は上述の通りグリッド間隔の点で異なるように設けられた、微小画像グリッドに従って設けられる。このことは、図１ｄに表された光学的外観６０をもたらし、その光学的外観の最前面エレメント６１が、多層体１を水平軸に向かって傾けると左右の動きを、また、垂直軸の周囲へ傾けると左右の動きを描く。
【手続補正６】
【補正対象書類名】明細書
【補正対象項目名】００５９
【補正方法】変更
【補正の内容】
【００５９】
更なる実施例が図１ｅによって説明される。図１ｅは、同様に、層１３の平面図を示し、微小レンズ２１の焦点ラインが、同様に線で示されている。この場合、微小レンズ２１は、それぞれが円形状を有し、図１ｅに示すように、互いにグリッド間隔４１の間隔で設けられ、互いに同心円状に設けられた円筒状レンズによって形成される。更に、微小レンズ２１は、幾何学的に変換された１次元微小レンズグリッドに従って設けられることも、つまり、例えば、座標軸５０及び５１に架かる平面上の微小レンズの焦点ラインが、いずれの場合にも、波線形状を有することもまた可能である。
【手続補正７】
【補正対象書類名】明細書
【補正対象項目名】００６５
【補正方法】変更
【補正の内容】
【００６５】
装飾層１２は、図１ａによる装飾層１２と同様に具体化される。図２は、その装飾層が、透明な複製ラッカー層１２２及び全域の金属層１２１から成る、多層体２の実施例を示し、そこで、微小画像２２のイメージ領域を形成する領域においては、複製ラッカー層１２２の表面に回折レリーフ構造１２３が型押しされ、このようなレリーフ構造は背景領域２３には型押しされない、すなわち、これらの領域はミラー領域として具体化される。また、ここで言及するに値することであるが、更に、図２による実施例において、第１空間方向、ここでは図２に示す断面の切断線の方向における微小画像２１の寸法４５は、第１空間方向においてそれぞれ隣り合う微小レンズ２１の寸法４３の、５０％より大きく、特に１００％より大きい。既に上記で開示した利点が、その結果として得られる。
【手続補正８】
【補正対象書類名】明細書
【補正対象項目名】００７４
【補正方法】変更
【補正の内容】
【００７４】
図５は、それぞれ図３及び図４による多層体３及び多層体４の更なる改良型を構成する、多層体５を示す。多層体５は、担持基板１０，層１１，微小画像２２を備えた装飾層１２，微小レンズ２１を備えた層１３，及び層１４を有する。多層体５は、図４による多層体４と同様に具体化されるが、担持基板１０の正面に塗着されるフィルムエレメントが、更にセキュリティエレメント１６を備え、担持基板１０の底面に塗着されるフィルムエレメントは、セキュリティエレメント１８及び被覆層１７を備え、また、担持基板１０は底面に刻印１９を備える、という差を有する。
【手続補正９】
【補正対象書類名】明細書
【補正対象項目名】００８７
【補正方法】変更
【補正の内容】
【００８７】
図９は、領域３５，３６並びに領域３７及び３８を有する多層体９を示す。領域３５〜３８においては、微小画像グリッド及び微小構造グリッドは、特に、微小画像間隔，微小構造間隔並びに、微小構造グリッド及び微小画像グリッドに架かる座標軸の向き、を含むグループから選択されたパラメータの１つにおいて、それぞれ互いに異なる。微小画像グリッド又は微小構造グリッドは、個々の領域３５〜３８において均質でもよいが、それぞれの他の領域について位相シフトしてもよい。領域３７及び３８において、例えば、ゾーン２１，２２及び２３は、従って、微小構造グリッド及び微小画像グリッドに従って設けられ、その微小画像間隔と微小構造間隔の差は、領域３７ではプラスであり領域３８ではマイナスである。例えば、このことは、傾けたときに領域３７及び３８内に現れるモチーフに、逆の動きをもたらす。